(57)【要約】      （修正有）【課題】冷蔵庫のストック品をそのつど前扉を開けずに確認できる様にし冷蔵庫内、奥にあるストック品も見やすく取り出しやすい方式にし、さらに来客時はストック品を見えなくするカーテンを備えた冷蔵庫を提供する。【解決手段】冷蔵庫のストック品を前扉を開けずに確認ができるように前扉を透明にし常に確認できるようにし、ストック品を取り出しやすいように従来の棚段式から円形回転盤方式にして奥のストック品も手で回転させることで簡単に取り出しやすくし、さらに来客時など透明を必要としない場合は、ロール型カーテンで遮蔽ができるように装置をした冷蔵庫である。これらにより開閉時の省エネルギー化に寄与し、二重買いを防ぐことができ、さらに遮蔽時のロール型カーテンのアート化で、より美しくより個性的な冷蔵庫を楽しむことができる。【選択図】図６
0003169616.tif 000002
【実用新案登録請求の範囲】
【請求項１】
冷蔵庫のストック状況をいつでも確認できるように、冷蔵庫の前扉を透明にする事とストック品を見やすく取り出しやすい円形回転盤方式の棚板を使用する事と来客時での前扉の遮蔽用としてのロール型カーテンを使用する事を特徴とする前扉透明型冷蔵庫。
【考案の詳細な説明】
【技術分野】
【０００１】本考案は、扉を開けずに冷蔵庫のストック品が分かり、さらに取り出しやすい装置と遮蔽時の見た目の美しさを兼ね備えた冷蔵庫に関するものである。
【背景技術】
【０００２】本考案は、扉を開けずに冷蔵庫のストック品が分かるように前扉を透明にする事と来客時の遮蔽用装置の設置、ならびにストック品を見やすく取り出しやすくする事に関するものである。前扉の透明化については現在、水族館で使用されている相当な厚みでもきわめてクリアーな透明度と強度を誇るアクリルなど使用すれば全く問題は生じない。
【考案の概要】
【考案が解決しようとする課題】
【０００３】今までの冷蔵庫は前扉を開けることでしか、中のストック品を見ることや確認することが不可能であった。また、ストック品の確認のためそのつど前扉の開閉による無駄な電力の消費が多く、更に棚奥にあるストック品の確認のため時間がかかり、無駄な電力消費を増大させていた。また、前扉もカラーを変化させる程度で美しさや個性的な面ではきわめて不満足であった。以上、前述の３項目の欠点を解決しようとするものである。
【課題を解決するための手段】
【０００４】冷蔵庫の前扉を透明にすることによって前扉を開けずに現在のストック品の内容が確認できるこれによって頻繁に扉を開ける必要がなくなり、無駄な電力の消費をおさえる事ができる。
冷蔵庫の内部は今までのような棚段形式から円形回転板形式に変えることによって、奥にあって見えないストック品も手前に回転させることによって容易に確認する事や取り出しやすくできる。また、透明な前扉を遮蔽することも可能として、ロール型カーテンの装置を組み込み個性にあわせた美しさや楽しさを自由に演出する事が可能になる。
これにより、今までのような無駄なエネルギーの消費、取り出しにくさ、非個性などの問題点を解決するものである。
【考案の効果】
【０００５】上記のように本考案の、扉を開けずに冷蔵庫のストック品が分かりやすくさらに取り出しやすい装置と美しさや個性を演出できる前扉の表現を兼ね備えた冷蔵庫は
▲１▼前扉を透明にすることによって、扉を開けずに冷蔵庫内のストック品がひと目で分かる。
▲２▼ひと目で分かることにより、取り出すモノがすぐに判断できすぐに取り出すことができる。
▲３▼すぐに取り出せるように今までの棚板方式から円形回転板方式にしてまわしながら容易に取り出すことができる。
▲４▼すぐに取り出せることにより、扉の開閉時間が短時間で済み省エネルギーにつながる。
▲５▼来客時はストック品を見せる必要がないので前扉に遮蔽用のロール型カーテンを使用して個性ある美しさを演出できる。
▲６▼庫内総容量については前扉がなくなった分を本体側に組み入れるので大きく減少することは無い。
【図面の簡単な説明】
【０００６】
【図１】本考案の通常時における前扉透明な冷蔵庫の骨格を示す概略図である一例として両開きの６ドア型を想定し開いた状態を示す。
【図２】図１Ａの真上から見た図である。円形であるため回転が楽にできる。
【図３】図１Ａの真横から見た図である。透明の外枠で回転によるストック品の飛び出しを防ぐ。
【図４】来客時の遮蔽用カーテンを使用した図である。
【図５】冷蔵庫の側面から見た図である。
【図５】Ａの拡大図はロールカーテン上部の装置を示している。
【図５】Ｂの拡大図はロールカーテンの下部の装置を示している。
【図６】来客時以外の通常時の透明状態をあらわしている。
【考案を実施するための形態】
【０００７】冷蔵庫の大きさや片開きか両開きかや冷凍や冷蔵がいくつに区切られているかなどはこの考案にとらわれない。冷蔵庫であればすべてが対象になる。前扉を閉じた状態で中身が見えるように高い透明度のアクリル等使用する。前述したように現在、水族館等で使用しているアクリル等適宜素材を使用すれば強度も透明度も全く問題は生じない。
円形回転盤にする事によってストック品が見やすく取り出しやすくなりスペースも従来の前扉ストックスペースがなくなっても奥行きがあるため充分に確保する事ができる。
また、棚段をすべて円形回転盤形式にする必要がなく、棚段との組み合わせが可能である。
円形回転盤は同様にアクリル等素材で透明にして見やすくする。遮蔽用ロールカーテンは最上部に巻き上げ式の装置を設置して、下部には凹凸のフックを設置するだけの簡単な装置である。ロールカーテンの長さも前面をすべて覆う場合や透明部分のみ覆う場合など凹凸のフックの着脱を簡単に設置できる吸盤式器具等にする。
【実施例】
【０００８】以下、添付図面に従って一実施例を説明する。図２の円形回転盤は円形を４マスにして回転時のストック品の安定のため、数ミリ程度の高さで等分の仕切りをつける。
ただし、回転は右回りでも左回りでも可能である。【０００９】図３は円形回転盤の外側を透明なアクリルなどで数センチ程度の仕切りをつけた図で０００８同様、回転時のストック品の飛び出しを防止するために弧状に設置する。
また、図３Ｂの拡大図は手で回転しやすいようにやや湾曲させた回転部分を示している【００１０】図４は来客時の事例で冷蔵庫の最上部に設置してあるロールカーテンを引きおろしてセットした状態を示す。カーテンの図案や色など季節や好みで個性のあるアート感覚を自由に選ぶことができ、今まで冷蔵庫では考えられなかった画期的な変化を楽しめる。【００１１】図５は最上部のロール状にしたカーテンボックスとカーテン下部のセット状態を示す。
事例としてカーテンボックス内に伸縮可能な棒状のカーテン設置器具を装備しておきカーテンの最上部を挟み込むなどで交換可能な設置器具とする。下部の凹凸器具は吸盤式などの簡単なものにする。
【図１】
0003169616.tif 000003
【図２】
0003169616.tif 000004
【図３】
0003169616.tif 000005
【図４】
0003169616.tif 000006
【図５】
0003169616.tif 000007
【図６】
0003169616.tif 000008
【手続補正書】
【提出日】平成23年5月20日(2011.5.20)
【手続補正１】
【補正対象書類名】実用新案登録請求の範囲
【補正対象項目名】請求項１
【補正方法】変更
【補正の内容】
【請求項１】
・冷蔵庫のストック内容をいつでも確認できるように、冷蔵庫の前扉が透明度の高い材料で構成されている事とストック品を見やすく且つ取り出しやすい円形回転板方式の棚板を使用する事と来客時での前扉の遮蔽用としての巻き上げ方式のロール型カーテンを冷蔵庫の最上部に取り付け、上げ下げを行う事を特徴とする前扉透明型冷蔵庫。